【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
入力およびＲＦ出力を有するシステムであって、前記システムは、
１つ以上のＲＦ増幅器であって、それぞれは、ＲＦ入力、ＲＦ出力、および電力供給入力を有する、１つ以上のＲＦ増幅器と、
前記１つ以上のＲＦ増幅器のうちの少なくとも１つの電力供給入力に電力供給電圧を提供するように結合された電圧制御ユニットであって、前記電圧制御ユニットは、増幅される信号の１つ以上の信号特性に部分的に基づいて、異なる入力またはレベルの中から前記電力供給電圧を動的に選択する、電圧制御ユニットと、
前記１つ以上のＲＦ増幅器のうちの少なくとも１つへの前記ＲＦ入力を予歪することによって、前記システムの線形性を改善する線形化ユニットと
を備える、システム。
【請求項２】
前記線形化ユニットは、少なくとも部分的に、１つ以上の選択された電力供給レベルまたは入力に基づいて、インデックス化される、請求項１に記載のシステム。
【請求項３】
少なくとも部分的に、前記選択された電力供給レベルまたは入力にインデックス化される様式において、前記線形化ユニットを訓練するための手段をさらに備える、請求項１に記載のシステム。
【請求項４】
前記１つ以上のＲＦ増幅器のうちの少なくとも１つの前記電力供給入力の選択における変化による、前記システムのＲＦ出力の外乱は、前記１つ以上のＲＦ増幅器のうちの１つのＲＦ入力を介して導入される信号によって補償される、請求項１に記載のシステム。
【請求項５】
前記補償信号は、前記１つ以上のＲＦ増幅器のうちの１つに対する入力のためのベースバンド信号内における付加的成分として導入される、請求項４に記載のシステム。
【請求項６】
前記補償信号は、前記１つ以上のＲＦ増幅器のうちの１つに対する入力のためのベースバンド信号内におけるデジタルデータに適用される倍数因子として導入される、請求項４に記載のシステム。
【請求項７】
前記線形化ユニットは、前記少なくとも１つのＲＦ増幅器のＲＦ入力を決定するベースバンド信号にデジタル予歪を提供することによって前記システムの線形性を改善するように構成されている、請求項１に記載のシステム。
【請求項８】
前記線形化ユニットは、異なる入力またはレベルの中からの前記電力供給電圧の選択と、前記システムのＲＦ出力に基づく前記１つ以上のＲＦ増幅器のうちの少なくとも１つに提供される前記ＲＦ入力との間における時間的整合を調節するように構成されている、請求項１に記載のシステム。
【請求項９】
前記１つ以上のＲＦ増幅器は、動作状態の離散セットの間で切り替えられ、前記システムは、信号レベルに対する複数の可能性な状態遷移点を有するように提供される、請求項１に記載のシステム。
【請求項１０】
前記線形化ユニットは、デジタル予歪システムを備え、前記デジタル予歪システムは、ＰＡシステムの選択された状態、最後の遷移以降の持続時間、および遷移点における信号レベルのうちの１つ以上によって、インデックス化された訓練を行う予歪訓練システムを含む、請求項１に記載のシステム。
【請求項１１】
前記線形化ユニットは、デジタル予歪システムを備え、前記デジタル予歪システムは、前記電力供給レベルの間の遷移の間、ゲート訓練データを使用することにより、データのサンプルを除外する予歪訓練システムを含む、請求項１に記載のシステム。
【手続補正２】
【補正対象書類名】明細書
【補正対象項目名】００５８
【補正方法】変更
【補正の内容】
【００５８】
一実施形態では、１つ以上の電力増幅器は、少なくとも部分的に、電力増幅器システムのデータ入力に提供されるデータに基づいて、４つ以上の動作状態の離散セットの間で切り替えられる。
本発明は、例えば、以下を提供する。
（項目１）
入力およびＲＦ出力を有するシステムであって、前記システムは、
１つ以上のＲＦ増幅器であって、それぞれは、ＲＦ入力、ＲＦ出力、および電力供給入力を有する、１つ以上のＲＦ増幅器と、
前記１つ以上のＲＦ増幅器のうちの少なくとも１つの前記電力供給入力に電力供給電圧を提供するように結合された電圧制御ユニットであって、前記電圧制御ユニットは、伝送される信号の１つ以上の信号特性に部分的に基づいて、異なる入力またはレベルの中から前記電力供給電圧を動的に選択する、電圧制御ユニットと、
前記電圧制御ユニットに結合された前記少なくとも１つのＲＦ増幅器のそれぞれに結合された線形化システムであって、前記線形化システムは、前記１つ以上のＲＦ増幅器のうちの少なくとも１つに対する前記ＲＦ入力が予歪される前記システムの線形性を改善するためのものであり、前記印加された予歪は、少なくとも部分的に、電力供給レベルの選択によってインデックス化される、線形化システムと
を備える、システム。
（項目２）
前記ＲＦ増幅器は、ＲＦ電力増幅器として提供される、項目１に記載のシステム。
（項目３）
前記線形化システムは、少なくとも部分的に、前記選択された電力供給レベルまたは入力に基づいて、インデックス化される、項目１に記載のシステム。
（項目４）
前記線形化システムが、少なくとも部分的に、前記選択された電力供給レベルまたは入力に基づいて、インデックス化されるように、前記線形化システムを訓練するための手段をさらに備える、項目１に記載のシステム。
（項目５）
前記ＲＦ増幅器の電力供給入力に印加される電圧が、レベルの離散セットの中から選択される、項目１に記載のシステム。
（項目６）
前記ＲＦ増幅器の電力供給入力に印加される電圧が、第１のセットの動作条件のための電圧レベルの離散セットの中から、および前記第１のセットに含まれない他の動作条件のための連続エンベロープトラッキングを提供する入力から選択される、項目１に記載のシステム。
（項目７）
前記１つ以上のＲＦ増幅器のうちの少なくとも１つの前記電力供給入力の選択における変化による、前記システムのＲＦ出力の外乱は、前記１つ以上のＲＦ増幅器のうちの１つのＲＦ入力を介して導入される信号によって補償される、項目１に記載のシステム。
（項目８）
前記システムは、第１および第２の電力増幅器を有し、前記第１の電力増幅器の電力供給入力選択における変化による、前記システムのＲＦ出力の外乱は、前記第２の電力増幅器のＲＦ入力を介して導入される信号によって補償される、項目７に記載のシステム。
（項目９）
前記補償信号は、前記１つ以上のＲＦ増幅器のうちの１つに対する入力のためのベースバンド信号内における付加的成分として導入される、項目７に記載のシステム。
（項目１０）
前記補償信号は、前記１つ以上のＲＦ増幅器のうちの１つに対する入力のためのベースバンド信号内におけるデジタルデータに適用される倍数因子として導入される、項目７に記載のシステム。
（項目１１）
入力およびＲＦ出力を有する電力増幅器システムであって、前記電力増幅器システムは、
１つ以上の電力増幅器であって、それぞれは、ＲＦ入力、ＲＦ出力、および電力供給入力を有し、少なくとも１つの電力増幅器のために前記電力供給入力に提供される電力供給電圧は、伝送される信号の１つ以上の信号特性に部分的に基づいて、異なる入力またはレベルの中から動的に選択される、１つ以上の電力増幅器
を備え、
前記１つ以上の電力増幅器のうちの少なくとも１つの電力供給入力の選択における変化による、前記電力増幅器システムのＲＦ出力におけるＲＦ出力信号の変動は、前記１つ以上の電力増幅器のうちの少なくとも１つのＲＦ入力に提供される補償信号によって補償される、電力増幅器システム。
（項目１２）
第１の電力増幅器のための前記電力供給入力の選択における変化による、前記電力増幅器システムのＲＦ出力信号の変動は、前記第１の電力増幅器のＲＦ入力を介して導入される信号によって補償される、項目１１に記載の電力増幅器システム。
（項目１３）
前記電力増幅器システムは、第１および第２の電力増幅器を有し、前記第１の電力増幅器の電力供給入力選択における変化による、前記電力増幅器システムのＲＦ出力におけるＲＦ出力信号の変動は、前記第２の電力増幅器のＲＦ入力を介して導入される信号によって補償される、項目１１に記載の電力増幅器システム。
（項目１４）
前記補償信号は、前記１つ以上の電力増幅器のうちの１つに対する入力のためのベースバンド信号内における付加的成分として、前記ＲＦ入力に提供される、項目１１に記載の電力増幅器システム。
（項目１５）
前記補償信号は、前記１つ以上の電力増幅器のうちの少なくとも１つに対する入力のためのベースバンド信号内において提供されるデジタルデータに適用される倍数因子として提供される、項目１１に記載の電力増幅器システム。
（項目１６）
データ入力およびＲＦ出力を有する電力増幅器システムであって、前記電力増幅器システムは、
前記電力増幅器システムのデータ入力に提供されるデータに少なくとも部分的に基づいて、動作状態の離散セットの間で切り替えられる１つ以上の電力増幅器と、
前記１つ以上の電力増幅器の少なくとも１つに結合された状態ベースのデジタル予歪（ＳＢ−ＤＰＤ）システムであって、前記ＳＢ−ＤＰＤシステムは、前記１つ以上の電力増幅器の１つ以上に提供される信号の予歪によって前記電力増幅器システムの線形性を改善するためのものであり、前記予歪は、少なくとも部分的に、前記１つ以上の電力増幅器の動作状態に依存する、ＳＢ−ＤＰＤシステムと
を備える、電力増幅器システム。
（項目１７）
前記動作状態のセットは、少なくとも部分的に、前記１つ以上の電力増幅器の少なくとも１つのための少なくとも１つのドレインバイアス電圧の選択によって決定され、前記少なくとも１つのドレインバイアス電圧は、複数のソースまたはレベルの中から選択される、項目１６に記載の電力増幅器システム。
（項目１８）
前記１つ以上の電力増幅器は、複数の電力増幅器に対応し、前記複数の電力増幅器のそれぞれは、１つ以上の動作状態を有し、
前記複数の電力増幅器のそれぞれのための前記動作状態のセットは、少なくとも部分的に、電力増幅を提供するように選択される電力増幅器の数によって決定される、項目１６に記載の電力増幅器システム。
（項目１９）
前記１つ以上の電力増幅器のうちの少なくとも１つに結合されたパルスキャンセルシステムをさらに備え、前記動作状態の離散セットの間の切り替えによる、前記電力増幅器システムのＲＦ出力におけるＲＦ出力信号の変動は、少なくとも部分的に、前記１つ以上の電力増幅器のうちの少なくとも１つのＲＦ入力を介して導入されるキャンセル信号によって、前記電力増幅器出力においてキャンセルされる、項目１６に記載の電力増幅器システム。
（項目２０）
前記電力増幅器システムの出力においてＲＦ出力信号の少なくとも一部を結合するように配置されたカプラをさらに備え、
前記キャンセル信号は、少なくとも部分的に、前記カプラによって測定された信号から決定される、項目１９に記載の電力増幅器システム。
（項目２１）
入力およびＲＦ出力を有するシステムであって、前記システムは、
１つ以上のＲＦ増幅器であって、それぞれは、ＲＦ入力、ＲＦ出力、および電力供給入力を有する、１つ以上のＲＦ増幅器と、
前記１つ以上のＲＦ増幅器のうちの少なくとも１つの電力供給入力に電力供給電圧を提供するように結合された電圧制御ユニットであって、前記電圧制御ユニットは、増幅される信号の１つ以上の信号特性に部分的に基づいて、異なる入力またはレベルの中から前記電力供給電圧を動的に選択する、電圧制御ユニットと、
前記１つ以上のＲＦ増幅器のうちの少なくとも１つへの前記ＲＦ入力を予歪することによって、前記システムの線形性を改善する線形化ユニットと
を備える、システム。
（項目２２）
前記線形化ユニットは、デジタル予歪ユニットを含む、項目２１に記載のシステム。
（項目２３）
前記線形化ユニットは、少なくとも部分的に、１つ以上の選択された電力供給レベルまたは入力に基づいて、インデックス化される、項目２２に記載のシステム。
（項目２４）
少なくとも部分的に、前記選択された電力供給レベルまたは入力にインデックス化される様式において、前記線形化ユニットを訓練するための手段をさらに備える、項目２２に記載のシステム。
（項目２５）
前記電圧制御ユニットは、レベルの離散セットの中から、第１のＲＦ増幅器の前記電力供給入力に印加される前記電力供給電圧を動的に選択する、項目２１に記載のシステム。
（項目２６）
前記電圧制御ユニットは、第１のセットの動作条件のための電圧レベルの離散セットの中から第１のＲＦ増幅器のための前記電力供給電圧を動的に選択し、前記第１のセットに含まれない他の動作条件に関する前記第１のＲＦ増幅器のための連続エンベロープトラッキングを提供する、項目２１に記載のシステム。
（項目２７）
前記１つ以上のＲＦ増幅器のうちの少なくとも１つの前記電力供給入力の選択における変化による、前記システムのＲＦ出力の外乱は、前記１つ以上のＲＦ増幅器のうちの１つのＲＦ入力を介して導入される信号によって補償される、項目２１に記載のシステム。
（項目２８）
前記システムは、第１および第２の電力増幅器を有し、前記第１の電力増幅器の電力供給入力選択における変化による、前記システムのＲＦ出力の外乱は、前記第２の電力増幅器のＲＦ入力を介して導入される信号によって補償される、項目２７に記載のシステム。
（項目２９）
前記補償信号は、前記１つ以上のＲＦ増幅器のうちの１つに対する入力のためのベースバンド信号内における付加的成分として導入される、項目２７に記載のシステム。
（項目３０）
前記補償信号は、前記１つ以上のＲＦ増幅器のうちの１つに対する入力のためのベースバンド信号内におけるデジタルデータに適用される倍数因子として導入される、項目２７に記載のシステム。
（項目３１）
前記線形化ユニットは、前記少なくとも１つのＲＦ増幅器のＲＦ入力を決定するベースバンド信号にデジタル予歪を提供することによって前記システムの線形性を改善するように構成されている、項目２１に記載のシステム。
（項目３２）
前記線形化ユニットは、異なる入力またはレベルの中からの前記電力供給電圧の選択と、前記システムのＲＦ出力に基づく前記１つ以上のＲＦ増幅器のうちの少なくとも１つに提供される前記ＲＦ入力との間における時間的整合を調節するように構成されている、項目２１に記載のシステム。
（項目３３）
データ入力およびＲＦ出力を有する電力増幅器システムであって、前記電力増幅器システムは、
前記電力増幅器システムのデータ入力に提供されるデータに少なくとも部分的に基づいて、動作状態の離散セットの間で切り替えられる１つ以上の電力増幅器と、
前記少なくとも１つの電力増幅器に提供される信号のデジタル予歪によって前記電力増幅器システムの線形性を改善するために、前記１つ以上の電力増幅器のうちの少なくとも１つに結合されているデジタル予歪（ＤＰＤ）システムと
を備える、電力増幅器システム。
（項目３４）
前記動作状態の離散セットは、少なくとも部分的に、前記１つ以上の電力増幅器の少なくとも１つのための少なくとも１つのドレインバイアス電圧の選択によって決定され、前記少なくとも１つのドレインバイアス電圧は、複数のソースまたはレベルの中から選択される、項目３３に記載の電力増幅器システム。
（項目３５）
前記１つ以上の電力増幅器は、複数の電力増幅器に対応し、前記複数の電力増幅器のそれぞれは、１つ以上の動作状態を有し、
前記複数の電力増幅器のそれぞれのための前記動作状態のセットは、少なくとも部分的に、電力増幅を提供するように選択される電力増幅器の数によって決定される、項目３３に記載の電力増幅器システム。
（項目３６）
前記１つ以上の電力増幅器のうちの少なくとも１つに結合されたパルスキャンセルシステムをさらに備え、前記動作状態の離散セットの間の切り替えによる、前記電力増幅器システムのＲＦ出力におけるＲＦ出力信号の変動は、少なくとも部分的に、前記１つ以上の電力増幅器のうちの少なくとも１つのＲＦ入力を介して導入されるキャンセル信号によって前記電力増幅器出力においてキャンセルされる、項目３３に記載の電力増幅器システム。
（項目３７）
前記電力増幅器システムの出力におけるＲＦ出力信号の少なくとも一部を結合するように配置されたカプラをさらに備え、
前記キャンセル信号は、少なくとも部分的に、前記カプラによって結合される信号から決定される、項目３６に記載の電力増幅器システム。
（項目３８）
前記デジタル予歪（ＤＰＤ）システムは、予歪されたデジタル信号を前記少なくとも１つの電力増幅器のためのＲＦ入力信号に変換する少なくとも１つのデジタル／ＲＦ変調器を含む、項目３３に記載の電力増幅器システム。
（項目３９）
前記デジタル予歪（ＤＰＤ）システムは、動作状態の間の１つ以上の電力増幅器の前記切替と、前記電力増幅器システムの感知されたＲＦ出力信号に少なくとも部分的に基づく前記少なくとも１つの電力増幅器に対する予歪されたＲＦ入力信号の印加との間の時間的整合を調節するように構成されている、項目３８に記載の電力増幅器システム。
（項目４０）
前記デジタル予歪（ＤＰＤ）システムは、動作状態に少なくとも部分的に基づいて、前記時間的整合を調節するように構成されている、項目３９に記載の電力増幅器システム。
（項目４１）
信号レベルに対する複数の可能性な状態遷移点が存在する、項目３３に記載の電力増幅器システム。
（項目４２）
前記電力増幅器システムは、伝送器の一部として実装され、
前記デジタル予歪システムは、伝送されるデータのサンプルに少なくとも部分的に基づいて、訓練を行う予歪訓練システムを含む、項目３３に記載の電力増幅器システム。
（項目４３）
前記デジタル予歪システムは、前記ＰＡシステムの選択された状態、最後の遷移以降の持続時間、および前記遷移点における信号レベルのうちの１つ以上によって、インデックス化された訓練を行う予歪訓練システムを含む、項目３３に記載の電力増幅器システム。
（項目４４）
前記デジタル予歪システムは、前記電力供給レベルの間の遷移の間、ゲート訓練データを使用することにより、データのサンプルを除外する予歪訓練システムを含む、項目３３に記載の電力増幅器システム。
（項目４５）
入力およびＲＦ出力を有する無線周波数（ＲＦ）システムであって、前記システムは、
１つ以上のＲＦ増幅器であって、それぞれは、ＲＦ入力、ＲＦ出力、および電力供給入力を有する、１つ以上のＲＦ増幅器と、
前記１つ以上のＲＦ増幅器のうちの少なくとも１つの電力供給入力に電力供給電圧を提供するように結合された電圧制御ユニットであって、前記電圧制御ユニットは、増幅される信号の１つ以上の信号特性に少なくとも部分的に基づいて、３つ以上の離散電圧レベルの中から前記電力供給電圧を動的に選択するように構成されている、電圧制御ユニットと
を備える、システム。
（項目４６）
前記１つ以上のＲＦ増幅器は、１つ以上のＲＦ電力増幅器として提供される、項目４５に記載のシステム。
（項目４７）
前記電圧制御ユニットは、前記増幅される信号の１つ以上の信号特性に少なくとも部分的に基づいて、４つ以上の離散電圧レベルの中から前記電力供給電圧を動的に選択する、項目４５に記載のシステム。
（項目４８）
前記電圧制御ユニットによって前記少なくとも１つのＲＦ増幅器の電力供給入力に提供される前記電力供給電圧は、第１のセットの動作条件のための前記３つ以上の離散電圧レベルの中から選択され、前記第１のセットに含まれない他の動作条件のための連続エンベロープトラッキングを提供する入力から導出される、項目４５に記載のシステム。
（項目４９）
前記１つ以上のＲＦ増幅器のうちの少なくとも１つの前記選択された電力供給電圧レベルにおける変化による、前記システムのＲＦ出力の外乱は、前記１つ以上のＲＦ増幅器のうちの少なくとも１つのＲＦ入力を介して印加された信号によって補償される、項目４５に記載のシステム。
（項目５０）
前記システムは、第１および第２の電力増幅器を有し、前記第１の電力増幅器の電力供給入力選択における変化による、前記システムのＲＦ出力の外乱は、前記第２の電力増幅器のＲＦ入力を介して導入される信号によって補償される、項目４９に記載のシステム。
（項目５１）
前記補償信号は、ベースバンド信号内における付加的成分として導入される、項目４９に記載のシステム。
（項目５２）
前記補償信号は、ベースバンド信号内におけるデジタルデータに適用される倍数因子として導入される、項目４９に記載のシステム。
（項目５３）
前記電圧制御ユニットと関連付けられる前記ＲＦ増幅器のそれぞれに結合された線形化ユニットをさらに備え、前記線形化ユニットは、前記１つ以上のＲＦ増幅器のうちの少なくとも１つに対する前記ＲＦ入力を予歪することによって前記システムの線形性を改善するように構成され、前記予歪は、少なくとも部分的に、前記選択された電力供給電圧レベルにインデックス化される、項目４５に記載のシステム。
（項目５４）
入力およびＲＦ出力を有する無線周波数（ＲＦ）電力増幅器システムであって、前記電力増幅器システムは、
１つ以上の電力増幅器であって、それぞれは、ＲＦ入力、ＲＦ出力、および電力供給入力を有し、前記１つ以上の電力増幅器のうちの少なくとも１つの電力供給入力に提供される電力供給電圧は、増幅される信号の１つ以上の信号特性に少なくとも部分的に基づいて、３つ以上の異なる電圧レベルの中から動的に選択される、１つ以上の電力増幅器
を備える、電力増幅器システム。
（項目５５）
前記少なくとも１つの電力増幅器の電力供給入力に提供される前記電力供給電圧は、前記増幅される信号の１つ以上の信号特性に少なくとも部分的に基づいて、４つ以上の異なる電圧レベルの中から動的に選択される、項目５４に記載の電力増幅器システム。
（項目５６）
前記１つ以上の電力増幅器のうちの少なくとも１つの電力供給入力の選択における変化による、前記電力増幅器システムのＲＦ出力におけるＲＦ出力信号の変動は、前記１つ以上の電力増幅器のうちの少なくとも１つのＲＦ入力に提供される補償信号によって補償される、項目５５に記載の電力増幅器システム。
（項目５７）
データ入力およびＲＦ出力を有する無線周波数（ＲＦ）電力増幅器システムであって、前記電力増幅器システムは、
電力増幅器システムのデータ入力に提供されるデータに少なくとも部分的に基づいて、３つ以上の動作状態の離散セットの間で切り替えられる１つ以上の電力増幅器を備える、電力増幅器システム。
（項目５８）
前記３つ以上の動作状態の離散セットは、少なくとも部分的に、前記１つ以上の電力増幅器のうちの少なくとも１つのための少なくとも１つのドレインバイアス電圧の選択によって決定され、前記少なくとも１つのドレインバイアス電圧は、複数のソースまたはレベルの中から選択される、項目５７に記載の電力増幅器システム。
（項目５９）
前記１つ以上の電力増幅器は、複数の電力増幅器を含み、前記複数の電力増幅器のそれぞれは、１つ以上の動作状態を有し、
前記複数の電力増幅器のそれぞれのための前記動作状態のセットは、少なくとも部分的に、電力増幅を提供するように選択される電力増幅器の数によって決定される、項目５７に記載の電力増幅器システム。
（項目６０）
パルスキャンセルシステムをさらに備え、前記パルスキャンセルシステムは、前記１つ以上の電力増幅器のうちの少なくとも１つのＲＦ入力においてキャンセル信号を導入することによって、前記動作状態の離散セットの間で切り替えることによってもたらされる前記電力増幅器システムのＲＦ出力におけるＲＦ出力信号の変動を少なくとも部分的にキャンセルするために、前記１つ以上の電力増幅器のうちの少なくとも１つに結合されている、項目５７に記載の電力増幅器システム。
（項目６１）
前記電力増幅器システムのＲＦ出力信号の少なくとも一部を前記パルスキャンセルシステムに結合するカプラをさらに備え、前記パルスキャンセルシステムは、前記結合された信号から少なくとも部分的に基づいて、１つ以上のキャンセル信号を生成するように構成されている、項目６０に記載の電力増幅器システム。
（項目６２）
前記１つ以上の電力増幅器は、前記電力増幅器システムのデータ入力に提供されるデータに少なくとも部分的に基づいて、４つ以上の動作状態の離散セットの間で切り替えられる、項目６０に記載の電力増幅器システム。